(57)【特許請求の範囲】
【請求項１】
紙幣回収口（１３）と、
紙幣識別機内部に収納された格納位置（１７Ａ）から前記紙幣回収口（１３）を介して紙幣識別機外部に引き出された引き出し位置（１７Ｃ）までの間をスライド可能な紙幣収納ユニット（１７）とを有し、
前記紙幣収納ユニット（１７）は、
厚さ方向に積層された状態の収納紙幣の束（Ｐ１）を保持可能なユニット本体（２１）と、
前記ユニット本体（２１）における前記引き出し位置の側の前面を規定しているユニット前面パネル（２２）とを有し、
前記ユニット前面パネル（２２）は、前記ユニット本体（２１）に保持される前記収納紙幣の束（Ｐ１）の前方に位置する前方位置（２２Ａ）から前記収納紙幣の束（Ｐ１）の厚さ方向に回動した側方位置（２２Ｂ）に回動可能な状態で、前記ユニット本体（２１）に連結されており、
前記ユニット本体（２１）は、前記収納紙幣の束の前側および厚さ方向の両側が開放状態のユニット枠であり、
前記ユニット前面パネル（２２）は、前記紙幣収納ユニット（１７）に収納される前記収納紙幣の束（Ｐ１）における前記ユニット本体（２１）から前方に突出している前端部（Ｐａ）に上下から対峙する部分（２７、２８）を備えていることを特徴とする紙幣識別機の紙幣取り出し機構。
【請求項２】
請求項１において、
前記ユニット本体（２１）は、前後方向に延びている上水平枠板（２３）および下水平枠板（２４）を備え、
前記ユニット前面パネル（２２）は、上下方向に延びる前面パネル部分（２６）と、この前面パネル部分（２６）の背面から後方に延びる上水平パネル部分（２７）および下水平パネル部分（２８）とを備え、
前記ユニット枠の前記上水平枠板（２３）および前記下水平枠板（２４）の前端部に、前記ユニット前面パネル（２２）の上水平パネル部分（２７）および前記下水平パネル部分（２８）の後端部が回動可能に取り付けられており、
前記ユニット前面パネル（２２）の前記上水平パネル部分（２７）および前記下水平パネル部分（２８）の前記後端部の側の部分は、前記紙幣収納ユニット（１７）に収納される前記収納紙幣の束（Ｐ１）における前端部（Ｐａ）に上下から対峙していることを特徴とする紙幣識別機の紙幣取り出し機構。
【請求項３】
請求項２において、
前記紙幣収納ユニット（１７）が前記格納位置（１７Ａ）にある状態では、前記ユニット前面パネル（２２）の前記前面パネル部分（２６）によって前記紙幣回収口（１３）が封鎖されていることを特徴とする紙幣識別機の紙幣取り出し機構。
【請求項４】
請求項１、２または３において、
前記ユニット前面パネル（２２）を所定の付勢力で前記前方位置に保持しているパネル付勢部材（３３、３４）を有していることを特徴とする紙幣識別機の紙幣取り出し機構。
【請求項５】
請求項１ないし４のうちのいずれかの項において、
前記紙幣収納ユニット（１７）を前記格納位置（１７Ａ）から前記引き出し位置（１７Ｃ）の方向に付勢しているユニット付勢部材（３９）と、
前記紙幣収納ユニット（１７）を前記格納位置（１７Ａ）にロックしているロック機構（３５）とを有し、
前記ロック機構（３５）によるロックを解除すると、前記紙幣収納ユニット（１７）が前記ユニット付勢部材（３９）の付勢力によって前記紙幣回収口（１３）から前記引き出し位置（１７Ｃ）の側に所定量だけ突出して、前記引き出し位置（１７Ｃ）に向けて引き出し可能な状態になることを特徴とする紙幣識別機の紙幣取り出し機構。
【請求項６】
請求項１ないし５のうちのいずれかの項において、
前記紙幣収納ユニット（１７）は、前記ユニット前面パネル（２２）の回動に連動して、前記収納紙幣の束（Ｐ１）の前端側の部分を前記ユニット前面パネル（２２）の回動方向とは逆方向に折り曲げ可能な折り曲げ部（５１）を有していることを特徴とする紙幣識別機の紙幣取り出し機構。
【請求項７】
請求項６において、
前記折り曲げ部（５１）は、前記ユニット前面パネル（２２）から前記格納位置（１７Ａ）の側に向けて当該ユニット前面パネル（２２）の回動中心線（３０ａ）を超えた位置まで延びている部位であることを特徴とする紙幣識別機の紙幣取り出し機構。
【請求項８】
紙幣回収口（１３）と、
紙幣識別機内部に収納された格納位置（１７Ａ）から前記紙幣回収口（１３）を介して紙幣識別機外部に引き出された引き出し位置（１７Ｃ）までの間をスライド可能な紙幣収納ユニット（１７）とを有し、
前記紙幣収納ユニット（１７）は、
厚さ方向に積層された状態の収納紙幣の束（Ｐ１）を保持可能なユニット本体（２１）と、
前記ユニット本体（２１）における前記引き出し位置の側の前面を規定しているユニット前面パネル（２２）とを有し、
前記ユニット前面パネル（２２）は、前記ユニット本体（２１）に保持される前記収納紙幣の束（Ｐ１）の前方に位置する前方位置（２２Ａ）から前記収納紙幣の束（Ｐ１）の厚さ方向に回動した側方位置（２２Ｂ）に回動可能な状態で、前記ユニット本体（２１）に連結されており、
前記紙幣収納ユニット（１７）の前端部分は、前記収納紙幣の束（Ｐ１）の厚さ方向における少なくとも一方の側が開放状態となっており、
前記ユニット前面パネル（２２）は前記前端部分の開放状態の側とは反対側に回動可能であり、
前記紙幣収納ユニット（１７）は、前記ユニット前面パネル（２２）の回動に連動して、前記収納紙幣の束（Ｐ１）の前端側の部分を前記ユニット前面パネル（２２）の回動方向とは逆方向に折り曲げ可能な折り曲げ部（５１）を有していることを特徴とする紙幣識別機の紙幣取り出し機構。
【請求項９】
請求項８において、
前記折り曲げ部（５１）は、前記ユニット前面パネル（２２）から前記格納位置（１７Ａ）の側に向けて当該ユニット前面パネル（２２）の回動中心線（３０ａ）を超えた位置まで延びている部位であることを特徴とする紙幣識別機の紙幣取り出し機構。
【請求項１０】
請求項８または９において、
前記紙幣収納ユニット（１７）が前記格納位置（１７Ａ）にある状態では、前記ユニット前面パネル（２２）によって前記紙幣回収口（１３）が封鎖されていることを特徴とする紙幣識別機の紙幣取り出し機構。
【請求項１１】
請求項８、９または１０において、
前記ユニット前面パネル（２２）を所定の付勢力で前記前方位置に保持しているパネル付勢部材（３３、３４）を有していることを特徴とする紙幣識別機の紙幣取り出し機構。
【請求項１２】
請求項８ないし１１のうちのいずれかの項において、
前記紙幣収納ユニット（１７）を前記格納位置（１７Ａ）から前記引き出し位置（１７Ｃ）の方向に付勢しているユニット付勢部材（３９）と、
前記紙幣収納ユニット（１７）を前記格納位置（１７Ａ）にロックしているロック機構（３５）とを有し、
前記ロック機構（３５）によるロックを解除すると、前記紙幣収納ユニット（１７）が前記ユニット付勢部材（３９）の付勢力によって前記紙幣回収口（１３）から前記引き出し位置（１７Ｃ）の側に所定量だけ突出して、前記引き出し位置（１７Ｃ）に向けて引き出し可能な状態になることを特徴とする紙幣識別機の紙幣取り出し機構。
【請求項１３】
請求項８ないし１２のうちのいずれかの項において、
前記ユニット本体（２１）は、前記収納紙幣の束の前側および厚さ方向の両側が開放状態のユニット枠（２３、２４）であり、
前記ユニット枠の前端部に前記ユニット前面パネル（２２）が回動可能に取り付けられていることを特徴とする紙幣識別機の紙幣取り出し機構。
【請求項１４】
請求項１ないし１３のうちのいずれかの項に記載の紙幣取り出し機構を備えた紙幣識別機（１０）であって、
紙幣投入口（１２）および前記紙幣回収口（１３）が形成されている前面パネル（１１）と、
前記紙幣収納ユニット（１７）が引き出し可能な状態で収納されているユニット収納部（１８）と、
前記紙幣投入口（１２）から投入された投入紙幣（Ｐ）を識別する紙幣識別部（１９）と、
前記紙幣投入口（１２）から投入された投入紙幣（Ｐ）を搬送し、前記紙幣識別部（１９）によって識別された後の投入紙幣（Ｐ）を、その厚さ方向に積層した状態となるように、前記格納位置（１７Ａ）にある前記紙幣収納ユニット（１７）に収納する紙幣搬送部（１６）とを有していることを特徴とする紙幣識別機（１０）。
【発明の詳細な説明】
【技術分野】
【０００１】
本発明は、投入された紙幣を識別して内部に集積する紙幣識別機に関し、特に、集積した紙幣を取り出すための紙幣取り出し機構に関する。
【背景技術】
【０００２】
パチンコ玉などの遊技媒体の貸出処理を行う遊技台用台間機には、紙幣により遊技媒体の貸出を行うための紙幣識別機を搭載したものがあり、紙幣識別機には、投入された紙幣を収納する紙幣収納部（金庫部）を備えたものが知られている。この形式の紙幣識別機は、紙幣収納部に収納されている紙幣を回収するために、遊技台用台間機の前面から引き出すことができるように構成されている。
【０００３】
特許文献１には、引き出された紙幣識別機の紙幣収納部から紙幣を簡単に取り出すことのできる紙幣識別機が提案されている。この紙幣識別機は、投入された紙幣を識別する紙幣識別装置と投入された紙幣を立ち姿勢のまま重ねて貯えるスタッカー部を備えている。スタッカー部はその前面に取り付けられているパネルと共に、外部ケースに対して摺動させて格納状態から引き出すことが可能である。スタッカー部は引き出し動作に連動して、その前半部が引き出し方向に直交する側方に折れ曲がるようになっている。側方に折れ曲がった前半部の前面開口から、紙幣を斜め前方に引き出して回収できる。
【０００４】
この構成の紙幣識別機では、スタッカー部の引き出しに連動してその前半部が側方に折れ曲がるので、スタッカー部の前面開口を覆っているパネルを開閉する等の機構を組み込むことなく、引き出されたスタッカー部から紙幣を取り出すことができる。しかしながら、紙幣の取り出し方向はスタッカー部が引き出される前方に対して斜めの方向であり、収納紙幣の先を掴む操作、収納紙幣を引き出す操作を、スタッカー部を側方から覗き込みながら行う必要がある。また、スタッカー部の引き出しに連動してその前半部が側方に折れ曲がるようにスタッカー部の構造およびそのスライド機構を構成する必要があり、構造が複雑である。
【０００５】
特許文献２には、収納紙幣を前方に引き出して回収できる紙幣識別装置が提案されている。この紙幣識別装置は、紙幣収納器の紙幣収納部に収納された紙幣を前方から取り出し可能な開口部と、この開口部を外側から覆う開閉式の遮蔽蓋とを備えている。紙幣収納器を引き出すと、これに連動して遮蔽蓋が開き紙幣収納器の開口部が外部に対して露出する。露出状態の開口部から紙幣収納器に収納されている紙幣を前方に引き出して回収できる。
【０００６】
この構成の紙幣識別装置では、前方が開口したボックス状の紙幣収納器をスライドさせる必要があり、その開口部を開閉するための遮蔽蓋を設ける必要がある。また、紙幣収納器の引き出し動作に連動させて遮蔽蓋を開閉するための連動機構を設ける必要がある。スライドさせる部分をなるべく少なくし、遮蔽蓋の開閉機構を簡素化できれば、紙幣識別機の小型・コンパクト化およびコスト低減化に有利である。
【０００７】
一方、本願出願人による特許文献３に開示の紙幣識別ユニットでは、紙幣が収納される上下の枠板と一方の側面板を備えた紙幣収納トレイをスライドさせて引き出すと、紙幣回収口を封鎖している蓋板が紙幣収納トレイによって同一方向に押し出されるようになっている。紙幣収納トレイを引き出すと、その側方が開放状態であるので、収納紙幣を側方に取り出して回収することができる。
【先行技術文献】
【特許文献】
【０００８】
【特許文献１】特許第４２００２６０号公報
【特許文献２】特許第４３８７２０９号公報
【特許文献３】特開２００８−１１３６８１号公報
【発明の概要】
【発明が解決しようとする課題】
【０００９】
特許文献３に開示の紙幣識別ユニットでは、引き出される紙幣収納トレイの構造が簡素化されているので、そのスライド機構などの小型・コンパクト化を図ることができる。また、紙幣回収口を封鎖している蓋板の開閉機構の簡素化を図ることができる。
【００１０】
しかしながら、紙幣収納トレイに収納されている紙幣を側方から取り出す必要があり、紙幣を前方にそのまま引き出すことにより回収できれば便利である。また、紙幣投入口を開閉する蓋板を省略できれば、紙幣識別ユニットを更に小型・コンパクト化でき、より一層のコスト低減化を達成可能である。
【００１１】
本発明の課題は、このような点に鑑みて、小型でコンパクトな構成により、紙幣識別機内に集積された収納紙幣を前方に簡単に取り出せるようにした紙幣識別機の紙幣取り出し機構、および、当該紙幣取り出し機構を備えた紙幣識別機を提案することにある。
【課題を解決するための手段】
【００１２】
上記の課題を解決するために、本発明の紙幣識別機の紙幣取り出し機構は、
紙幣回収口と、
紙幣識別機内部に収納された格納位置から前記紙幣回収口を介して紙幣識別機外部に引き出された引き出し位置までの間をスライド可能な紙幣収納ユニットとを有し、
前記紙幣収納ユニットは、
厚さ方向に積層された状態の収納紙幣の束を保持可能なユニット本体と、
前記ユニット本体における前記引き出し位置の側の前面を規定しているユニット前面パネルとを有し、
前記ユニット前面パネルは、前記ユニット本体に保持される前記収納紙幣の束の前方に位置する前方位置から前記収納紙幣の束の厚さ方向に回動した側方位置に回動可能な状態で、前記ユニット本体に連結されていることを特徴としている。
【００１３】
本発明の紙幣識別機の紙幣取り出し機構では、スライド可能な紙幣収納ユニットのユニット本体の前面が回動可能なユニット前面パネルによって規定されている。紙幣収納ユニットを格納位置から引き出し位置まで引き出し、ユニット前面パネルを側方位置に押しやると、収納紙幣の束の前端部の前方が開放状態になる。したがって、紙幣識別機の前側から、収納紙幣の束の前端部を掴み、そのまま前方に引き出すことにより収納紙幣の束を紙幣収納ユニットから引き出して回収することができる。
【００１４】
ここで、本発明の紙幣取り出し機構は、前記紙幣収納ユニットが前記格納位置にある状態では、前記ユニット前面パネルによって前記紙幣回収口が封鎖されていることを特徴としている。このように、ユニット前面パネルを、紙幣収納ユニットの前面の開閉部材および紙幣回収口の開閉部材として兼用しているので、紙幣識別機の小型化およびコスト低減化に有利である。
【００１５】
また、本発明の紙幣取り出し機構は、所定の付勢力で前記ユニット前面パネルを前記前方位置に付勢しているパネル付勢部材を有していることを特徴としている。ユニット前面パネルは紙幣収納ユニットの引き出し方向を向く前方位置に保持されるので、紙幣収納ユニットの引き出し、引き込み時などにおいてユニット前面パネルが左右に振れることがない。よって、紙幣収納ユニットの引き出し、引き込み操作などを円滑に行うことができる。
【００１６】
さらに、本発明の紙幣取り出し機構は、前記紙幣収納ユニットを前記格納位置から前記引き出し位置の方向に付勢しているユニット付勢部材と、前記紙幣収納ユニットを前記格納位置にロックしているロック機構とを有し、前記ロック機構によるロックを解除すると、前記紙幣収納ユニットが前記ユニット付勢部材の付勢力によって前記紙幣回収口から前記引き出し位置の側に所定量だけ突出した引き出し可能状態になることを特徴としている。
【００１７】
ロックを解除すると付勢力によって紙幣収納ユニットが紙幣回収口から外方に突出して、突出した紙幣収納ユニットの前端部分、すなわち、ユニット前面パネルの部分を指先などで掴むことができる。この後は手動で、紙幣収納ユニットを引き出し位置まで引き出すことができる。
【００１８】
次に、本発明の紙幣取り出し機構では、前記紙幣収納ユニットの前端部分は、前記収納紙幣の束の厚さ方向における少なくとも一方の側が開放状態となっており、前記ユニット前面パネルは、少なくとも、前記前端部分の開放状態の側とは反対側に回動可能であり、前記紙幣収納ユニットは、前記ユニット前面パネルの回動に連動して、前記収納紙幣の束の前端側の部分を前記ユニット前面パネルの回動方向とは逆方向に折り曲げ可能な折り曲げ部を有していることを特徴としている。
【００１９】
このようにすれば、ユニット前面パネルを回動すると、ユニット前面パネルと収納紙幣の束の前端側の部分との間の隙間が広がる。この結果、パネル付勢部材によって収納紙幣の側に戻ろうとするユニット前面パネルに邪魔されることなく、収納紙幣の束の前端部分を掴み前方に引き出す操作を簡単に行うことができる。
【００２０】
ここで、前記折り曲げ部としては、前記ユニット前面パネルから前記格納位置の側に向けて当該ユニット前面パネルの回動中心線を超えた位置まで延びている部位を用いることができる。ユニット前面パネルを回動すると、折り曲げ部は回動中心線回りに逆方向に回動する。すなわち、収納紙幣の束の側に回動して収納紙幣の束が側方に折り曲げられる。
【００２１】
次に、本発明の紙幣取り出し機構において、前記ユニット本体は、前記収納紙幣の束の前側および厚さ方向の両側が開放状態のユニット枠であり、前記ユニット枠の前端部に、前記ユニット前面パネルが回動可能に取り付けられていることを特徴としている。
【００２２】
このように、スライドする紙幣収納ユニットの構造を簡素化すれば、全体寸法の小型化に有利である。また、ユニット前面パネルを回動すると、ユニット本体に収納されている収納紙幣の束の前端面および両側部分が露出状態になり、収納紙幣の束が掴み易いという利点がある。
【００２３】
次に、本発明は、上記構成の紙幣取り出し機構を備えた紙幣識別機であって、
紙幣投入口および前記紙幣回収口が形成されている前面パネルと、
前記紙幣収納ユニットが引き出し可能な状態で収納されているユニット収納部と、
前記紙幣投入口から投入された投入紙幣を識別する紙幣識別部と、
前記紙幣投入口から投入された投入紙幣を搬送し、前記紙幣識別部によって識別された後の投入紙幣を、その厚さ方向に積層した状態となるように、前記格納位置にある前記ユニット収納部に収納する紙幣搬送部とを有していることを特徴としている。
【発明の効果】
【００２４】
本発明によれば、紙幣収納ユニットを引き出して、その前面を規定しているユニット前面パネルを、指先などによって、収納紙幣の束の前方に位置する前方位置から側方位置に押しやると、収納紙幣の束の前端部が前方に露出した状態になる。したがって、収納紙幣の束の前端部を掴み、そのまま前方に引き出すことにより収納紙幣を回収できる。
【００２５】
よって、紙幣識別機の前方の位置において、斜め方向を向いている開口から収納紙幣を掴み、斜め方向に収納紙幣を引き出す場合等に比べて、収納紙幣の引き出し操作が簡単になる。また、極めて簡単な構成により、引き出された紙幣収納ユニットから収納紙幣の束の前端部を露出させて前側から掴むことができるので、紙幣識別機の小型・コンパクト化、コスト低減化に有利である。よって、設置スペースが限られている遊技台用台間機に搭載するのに適した紙幣回収が容易な紙幣識別機を実現できる。
【図面の簡単な説明】
【００２６】
【図１】（ａ）は本発明を適用した紙幣識別機が搭載されている遊技台用台間機を示す斜視図であり、（ｂ）は紙幣識別機を示す斜視図である。
【図２】（ａ）は図１の紙幣識別機の紙幣収納ユニットの部分の縦断面を示す説明図であり、（ｂ）はその横断面を示す説明図であり、（ｃ）はその前端部分を示す説明図である。
【図３】（ａ）〜（ｃ）は収納紙幣の回収動作を示す説明図である。
【図４】（ａ）は紙幣折り曲げ部付のユニット前面パネルを備えた紙幣収納ユニットの例を示す説明図であり、（ｂ）は収納紙幣の束を折り曲げた状態を示す説明図である。
【発明を実施するための形態】
【００２７】
以下に、図面を参照して本発明を適用した紙幣取り出し機構を備えた紙幣識別機の実施の形態を説明する。
【００２８】
図１（ａ）は紙幣識別機が搭載された遊技台用台間機を示す斜視図であり、図１（ｂ）は紙幣識別機を取り出して示す斜視図である。遊技台用台間機１は、紙幣やプリペイドカードなどによる入金額に応じた遊技媒体の貸出を行う装置である。パチンコ店などの遊技店においては、パチンコ台などの遊技装置を並べた遊技島が設置されている。遊技台用台間機１は、遊技島における各遊技装置間の隙間に配置可能な奥行方向に長い薄型の本体ケース２を備えており、この本体ケース２の内部に各種の構成部品が組み込まれている。隣接する遊技装置間の隙間に取り付けられている台間機ホルダ３（想像線で示す部分）に前方から本体ケース２を装着することにより、各遊技装置の間に遊技台用台間機１を設置することができる。
【００２９】
遊技台用台間機１における本体ケース２は、その前面に台間機前面パネル４が取り付けられている。本体ケース２の上端部分には紙幣識別機１０が組み込まれており、この紙幣識別機１０の前面に取り付けた前面パネル１１により台間機前面パネル４の上端部分が規定されている。本体ケース２には、紙幣識別機１０の下側に制御回路５ａが搭載されたコントロールボックス５が組み込まれており、この下側にはカードリーダライター６、カードストッカー７が組み込まれている。また、外部との間で通信を行うための通信インターフェース８などが組み込まれている。例えば、外部からリモートコントローラ９による遠隔操作を行うことにより、制御回路５ａを介して、後述する紙幣識別機１０の収納紙幣回収動作などを起動させることができるようになっている。
【００３０】
紙幣識別機１０の前面パネル１１には、上下方向（前面パネル１１の長手方向）に延びる細幅の紙幣投入口１２が形成されている。また、前面パネル１１における紙幣投入口１２の隣には、上下方向に延びる紙幣回収口１３が形成されている。紙幣投入口１２および紙幣回収口１３は、紙幣の短辺寸法よりも上下方向の内法寸法が大きく、横向きにして立てた状態の紙幣Ｐの挿入、取り出しが可能である。
【００３１】
図２は紙幣識別機１０の内部構成を示すものであり、（ａ）は紙幣識別機１０の紙幣収納ユニットの部分の縦断面を示す説明図、（ｂ）は紙幣識別機１０の横断面を示す説明図、（ｃ）は紙幣収納ユニットの前端部分を示す説明図である。図１（ｂ）および図２を参照して説明すると、紙幣識別機１０は、全体として扁平な直方体形状をしている識別機本体部１５を備えており、この識別機本体部１５の前面に、紙幣投入口１２および紙幣回収口１３が形成されている前面パネル１１が取り付けられている。
【００３２】
識別機本体部１５の内部には、その厚さ方向における紙幣投入口１２が形成されている側に、紙幣搬送部１６が内蔵されており、その厚さ方向における紙幣回収口１３が形成されている側に、紙幣収納ユニット１７が引き出し可能な状態で収納されているユニット収納部１８が内蔵されている。紙幣搬送部１６における紙幣投入口１２の近傍位置には投入紙幣Ｐの真偽、種類を識別するための紙幣識別部１９が配置されている。
【００３３】
紙幣投入口１２に挿入された投入紙幣Ｐは、紙幣搬送部１６によって識別機本体部１５の奥に向かって送り込まれる。紙幣搬送部１６によって搬送される投入紙幣Ｐは紙幣識別部１９によって識別される。受け入れ可能な紙幣であると判別された投入紙幣Ｐは、紙幣搬送部１６によってユニット収納部１８に収納されている紙幣収納ユニット１７に送り込まれ、ここに、厚さ方向に積層された状態で収納される。すなわち、紙幣収納ユニット１７には、積層状態の投入紙幣の束Ｐ１が、その短辺を紙幣回収口１３に向けた姿勢で収納される。
【００３４】
紙幣収納ユニット１７はユニット収納部１８に紙幣識別機１０の前後方向にスライド可能な状態で収納されており、ユニット収納部１８に収納された格納位置１７Ａ（紙幣識別機内部に収納された格納位置）から紙幣回収口１３を通って前面パネル１１から紙幣識別機１０の前方に所定量だけ引き出された引き出し位置１７Ｃまでの間をスライド可能である。また、紙幣収納ユニット１７は、厚さ方向に積層された状態の収納紙幣の束Ｐ１を保持可能な前後に長い扁平な直方体形状のユニット本体２１と、このユニット本体２１における前面（引き出し側の端面）を規定しているユニット前面パネル２２とを備えている。
【００３５】
ユニット本体２１は、収納紙幣の束Ｐ１の前側および厚さ方向の両側が開放状態のユニット枠であり、一定の間隔で前後方向に平行に延びている一定幅の上水平枠板２３および下水平枠板２４と、これらの後端部を連結している上下方向に延びる後側垂直枠板２５とを備えている。ユニット前面パネル２２は、上下に延びる前面パネル部分２６と、この前面パネル部分２６の背面から一定間隔で後方に平行に延びる上水平パネル部分２７および下水平パネル部分２８とを備えている。また、上水平パネル部分２７と下水平パネル部分２８の間には、それらの一方の側縁の間に垂直側面パネル部分２９が架け渡されている。前面パネル部分２６の外側形状は、紙幣回収口１３の内側形状と相補的な形状をしており、紙幣収納ユニット１７が格納位置１７Ａに位置している状態では、前面パネル部分２６によって紙幣回収口１３が封鎖される。
【００３６】
ユニット前面パネル２２は、ユニット本体２１の前端部に取り付けられており、垂直回動中心線３０ａを中心として、収納紙幣の束Ｐ１の厚さ方向（側方）に回動可能であり、これらの連結部分が上垂直回動軸３１および下垂直回動軸３２によって構成されている。すなわち、ユニット本体２１の上水平枠板２３、下水平枠板２４の前端部には、上垂直回動軸３１、下垂直回動軸３２が同軸状態に固定されており、これらの上垂直回動軸３１、下垂直回動軸３２には、これらを中心として左右に回動可能な状態で、ユニット前面パネル２２の上水平パネル部分２７および下水平パネル部分２８の後端部が連結されている。また、本例では、ユニット前面パネル２２は、紙幣収納ユニット１７の引き出し方向を向く前方位置２２Ａ（収納紙幣の束Ｐ１の前方の位置）から、垂直側面パネル部分２９が形成されている側に９０度未満の角度だけ回動した側方位置２２Ｂまでの間を回動可能となっている。
【００３７】
また、上水平枠板２３の前端部と上水平パネル部分２７の後端部の間には、上垂直回動軸３１の回りに配置した上捩じりコイルばね３３が架け渡されており、下水平枠板２４の前端部と下水平パネル部分２８の後端部の間にも、下垂直回動軸３２の回りに配置した下捩じりコイルばね３４が架け渡されている。これらの上捩じりコイルばね３３、下捩じりコイルばね３４からなるパネル付勢部材によって、ユニット前面パネル２２は、その前方位置２２Ａの方向（紙幣収納ユニットの引き出し方向）を向く状態に付勢されている。ユニット前面パネル２２を付勢するパネル付勢部材としては、捩じりコイルばね以外の部材を用いてもよいことは勿論である。
【００３８】
次に、紙幣収納ユニット１７はロック機構３５によって格納位置１７Ａにロックされている。ロック機構３５は、ユニット収納部１８の側に取り付けられている電磁ソレノイド３６を備えており、この電磁ソレノイド３６の作動ロッド３６ａにはラッチ３７が取り付けられている。また、ロック機構３５は紙幣収納ユニット１７の側に形成したラッチ穴３８を備えており、紙幣収納ユニット１７が格納位置１７Ａに位置している状態では、そのラッチ穴３８にラッチ３７が嵌り込み、ロック状態が形成されている。一方、紙幣収納ユニット１７は圧縮コイルばねなどからなるユニット付勢部材３９によって、常に前方（引き出し方向）に向けて付勢されている。
【００３９】
電磁ソレノイド３６を励磁して作動ロッド３６ａを引き込めてラッチ穴３８からラッチ３７を外すとロックが解除され、ユニット付勢部材３９の付勢力によって紙幣収納ユニット１７が前方に突出する。これにより、紙幣収納ユニット１７は、その前端部分が紙幣回収口１３から所定量だけ突出した突出位置１７Ｂまで押し出される。これにより、紙幣収納ユニット１７のユニット前面パネル２２を掴み、当該紙幣収納ユニット１７を前方の引き出し位置１７Ｃまで引き出すことが可能になる。
【００４０】
（紙幣回収動作）
図３（ａ）〜（ｃ）は収納紙幣の回収動作を示す説明図である。以下に、図１および図３を参照して収納紙幣の回収動作を説明する。まず、紙幣収納ユニット１７が格納位置１７Ａにある場合には、図１に示すように、紙幣回収口１３が紙幣収納ユニット１７のユニット前面パネル２２によって封鎖されている。例えば、リモートコントローラ９によって外部からの遠隔操作によってロック機構３５によるロックを解除する。ロックが解除されると、ユニット付勢部材３９によって紙幣収納ユニット１７が前方に押し出されて、図３（ａ）に示すように、突出位置１７Ｂまで突出する。
【００４１】
前面パネル１１から前方に突出したユニット前面パネル２２を掴み、紙幣収納ユニット１７を、図３（ｂ）に示すように、前方の引き出し位置１７Ｃまで引き出す。この結果、紙幣収納ユニット１７に収納されている収納紙幣の束Ｐ１における前端部Ｐａの側方が露出した状態になる。この状態において、図３（ｃ）に示すように、ユニット前面パネル２２を側方に押すと、ユニット前面パネル２２は垂直回動中心線３０ａを中心として側方に回動して、収納紙幣の束Ｐ１の前端部Ｐａが前方に露出して、前側から掴み、前方に引き出すことが可能になる。この後は、収納紙幣の束Ｐ１を掴み前方に引き出すことにより、収納紙幣の束Ｐ１を紙幣収納ユニット１７から回収できる。
【００４２】
紙幣回収後にユニット前面パネル２２を離すと、ユニット前面パネル２２は付勢力によって図３（ｂ）に示す前方位置２２Ａに戻り、引き出し方向に延びた状態になる。したがって、紙幣収納ユニット１７を紙幣回収口１３に押し込むことができる。紙幣収納ユニット１７をユニット付勢部材３９の付勢力に逆らって格納位置１７Ａまで押し込むと、ロック機構３５によって紙幣収納ユニット１７がロックされ、図１に示す状態に戻る。
【００４３】
以上のように、紙幣識別機１０においては、紙幣収納ユニット１７を前方に引き出して、その前端のユニット前面パネル２２を側方に押しやると、収納紙幣の束Ｐ１の前端部Ｐａが露出した状態になる。したがって、収納紙幣の束Ｐ１を掴み、そのまま前方に引き出すことにより収納紙幣の束Ｐ１を紙幣収納ユニット１７から回収できる。よって、極めて簡単な操作によって収納紙幣を回収することができる。
【００４４】
また、引き出される紙幣収納ユニット１７は枠状のものであり、ボックス状のユニットを引き出す場合、引き出し動作に連動させてユニットを側方に旋回させる場合などに比べて、動く部品やガイド部材などが少なく、可動領域も狭くて済む。したがって、従来に比べて、紙幣識別機の部品点数を少なくでき、その製造コストを低減できる。また、可動部分が少なく、構造がシンプルであるので、メンテナンスの負担も軽減できる。
【００４５】
さらに、格納位置にある紙幣収納ユニット１７のユニット前面パネル２２は、紙幣回収口１３を封鎖する封鎖部材として機能するので、紙幣回収口１３を開閉するための別部材を配置する必要がなく、このような部材を開閉するための機構も不要になる。これによっても、紙幣識別機の部品点数を少なくでき、その製造コストを低減できる。
【００４６】
（紙幣の折り曲げ部を備えた実施の形態）
上記の紙幣収納ユニット１７では、そのユニット前面パネル２２を側方に押し出して、前側から収納紙幣の束Ｐ１を掴み前方に引き出すようにしている。ユニット前面パネル２２は収納紙幣の束Ｐ１の前方に位置するように付勢されているので、ユニット前面パネル２２が邪魔になって収納紙幣の束Ｐ１の前端部を掴み難いことがある。また、ユニット前面パネル２２を回動させても、ユニット前面パネル２２と収納紙幣の束Ｐ１の前端部Ｐａとの間に十分な広さの隙間が得られない場合がある。このような問題を解消するためには、ユニット前面パネル２２の回動に連動させて収納紙幣の束Ｐ１の前端部Ｐａをユニット前面パネル２２から遠ざかる方向に折り曲げるようにすればよい。
【００４７】
図４（ａ）は、この構成を備えた紙幣収納ユニットの例を示す説明図であり、（ｂ）は収納紙幣の束を折り曲げた状態を示す説明図である。紙幣収納ユニット５０の基本的な構成は上記の紙幣収納ユニット１７と同様であるので、対応する部位には同一の符号を付し、それらの説明は省略する。
【００４８】
紙幣収納ユニット５０では、そのユニット本体におけるユニット前面パネル２２が取り付けられている前端部分が、収納紙幣の束Ｐ１の厚さ方向における少なくとも一方の側が開放状態となっている。本例では、ユニット前面パネル２２の垂直側面パネル部分２９とは反対側が開放状態となっており、ユニット前面パネル２２は、この開放状態の側とは反対側に回動可能となっている。
【００４９】
また、ユニット前面パネル２２には、その回動に連動して、収納紙幣の束Ｐ１の前端部Ｐａをユニット前面パネル２２の回動方向とは逆方向に折り曲げ可能な折り曲げ部として機能する後方突出部５１が一体形成されている。後方突出部５１は、ユニット前面パネル２２の垂直側面パネル部分２９の後端部から、これよりも狭い幅で後方に突出している部分であり、この後方突出部５１の先端５１ａは、ユニット前面パネル２２の垂直回動中心線３０ａを超えて後方まで延びている。
【００５０】
この構成のユニット前面パネル２２を回動すると、後方突出部５１の先端５１ａが垂直回動中心線３０ａを中心として逆方向に回動して、収納紙幣の束Ｐ１の前端部をユニット前面パネル２２とは逆方向に折り曲げる。これにより、収納紙幣の束Ｐ１の前端部Ｐａがユニット前面パネル２２から離れるので、収納紙幣の束Ｐ１の前端部Ｐａを簡単に掴むことができ、便利である。
【００５１】
（その他の実施の形態）
なお、本発明の紙幣識別機は、紙幣以外の紙葉類を識別して集積する紙葉類識別機としてそのまま用いることができることは勿論であり、紙幣以外の紙葉類を取り扱う紙葉類識別機を本発明から排除するものではなく、当然に本発明に包含されるものである。
【符号の説明】
【００５２】
１    遊技台用台間機
２    本体ケース
３    台間機ホルダ
４    台間機前面パネル
５    コントロールボックス
５ａ  制御回路
６    カードリーダライター
７    カードストッカー
８    通信インターフェース
９    リモートコントローラ
１０  紙幣識別機
１１  前面パネル
１２  紙幣投入口
１３  紙幣回収口
１５  識別機本体部
１６  紙幣搬送部
１７  紙幣収納ユニット
１７Ａ  格納位置
１７Ｂ  突出位置
１７Ｃ  引き出し位置
１８  ユニット収納部
１９  紙幣識別部
２１  ユニット本体
２２  ユニット前面パネル
２２Ａ  前方位置
２２Ｂ  側方位置
２３  上水平枠板
２４  下水平枠板
２５  後側垂直枠板
２６  前面パネル部分
２７  上水平パネル部分
２８  下水平パネル部分
２９  垂直側面パネル部分
３１  上垂直回動軸
３２  下垂直回動軸
３３  上捩じりコイルばね
３４  下捩じりコイルばね
３５  ロック機構
３６  電磁ソレノイド
３６ａ  作動ロッド
３７  ラッチ
３８  ラッチ穴
３９  ユニット付勢部材
５０  紙幣収納ユニット
５１  後方突出部（紙幣折り曲げ部）
５１ａ  先端
Ｐ    投入紙幣
Ｐ１  収納紙幣の束
Ｐａ  前端部
【図１】
0005684586.tif 000002
【図２】
0005684586.tif 000003
【図３】
0005684586.tif 000004
【図４】
0005684586.tif 000005